(57)【特許請求の範囲】
【請求項１】
筐体と，
前記筐体内において１個以上のシャッタ眼鏡を収納する眼鏡収納部と，
前記眼鏡収納部内に配置され，前記シャッタ眼鏡を保持する眼鏡台と，
前記眼鏡収納部内に配置され，前記眼鏡台に前記シャッタ眼鏡を保持したときに，前記シャッタ眼鏡の充電端子に接触して電力を供給する給電端子と，
を有する映像表示装置。
【請求項２】
前記給電端子は，前記眼鏡台から突出して配置され，
前記シャッタ眼鏡は，前記給電端子と対応する充電端子を有する
請求項１記載の映像表示装置。
【請求項３】
前記眼鏡台は，前記シャッタ眼鏡のブリッジと対応する上面を有し，
前記給電端子は，前記眼鏡台の上面に配置され，
前記充電端子は，前記シャッタ眼鏡のブリッジの底部に，当該底部から突出しないように配置される請求項２に記載の映像表示装置。
【請求項４】
前記眼鏡台が，マグネットが埋設される壁を有し，
前記シャッタ眼鏡は，前記マグネットと対応する金属片を有する
請求項２または３に記載の映像表示装置。
【請求項５】
筐体と，
前記筐体を支持するスタンドと，
前記スタンド内において１個以上のシャッタ眼鏡を収納する眼鏡収納部と，
前記眼鏡収納部内に配置され，前記シャッタ眼鏡を保持する眼鏡台と，
前記眼鏡収納部内に配置され，前記眼鏡台に前記シャッタ眼鏡を保持したときに，前記シャッタ眼鏡の充電端子に接触して電力を供給する給電端子と，
を有する映像表示装置。
【請求項６】
前記眼鏡収納部は，前記スタンド内の支柱部に配置されている請求項５記載の映像表示装置。
【請求項７】
前記眼鏡収納部は，前記筐体の上面に開閉蓋を有する請求項１記載の映像表示装置。
【請求項８】
前記眼鏡収納部は，前記筐体の側面に開閉蓋を有する請求項１記載の映像表示装置。
【請求項９】
前記眼鏡収納部は，前記スタンドの上面に開閉蓋を有する請求項５記載の映像表示装置。
【請求項１０】
請求項１乃至９のいずれか１項に記載の映像表示装置と，
立体映像表示用の液晶シャッタを備えた前記シャッタ眼鏡と，
を有する映像表示システム。
【発明の詳細な説明】
【技術分野】
【０００１】
本発明の実施形態は、立体映像を表示することが可能な映像表示装置に関する。
【背景技術】
【０００２】
近年、立体映像のコンテンツの視聴が可能なフラットパネルディスプレイが実用化されている。立体映像の表示の方式に関して種々提案されているが、その中で偏光フィルタ眼鏡や電子シャッタ眼鏡を用いる眼鏡方式がある。
【０００３】
電子シャッタ眼鏡には、映像と連動するシャッタが組み込まれていて、右眼用の映像が表示されたときは、左眼のシャッタが下り、右眼用の映像だけが見える。左眼用の映像が表示されたときは、その逆に右眼のシャッタが下り、左眼用の映像だけが見える。映像に同期して電子的に眼鏡のシャッタを閉じたり開いたりすることで、視差のある映像を交互に左右の目に表示することで立体的に見せる方式である。
【先行技術文献】
【特許文献】
【０００４】
【特許文献１】特開平９−５６７４号公報
【発明の概要】
【発明が解決しようとする課題】
【０００５】
電子シャッタ眼鏡には液晶によるシャッタが用いられており、この液晶シャッタを開閉するためには、電力を供給する必要がある。電力は、シャッタ眼鏡内に収納された一次電池あるいは二次電池から供給される。一次電池の場合は、ボタン電池等の小型のものが使用され、電池が消耗した場合は新しい電池に交換する必要がある。二次電池の場合は、電池が消耗した場合は充電する必要がある。充電は、専用の充電器に専用ケーブルによって接続する場合やＵＳＢ（Universal Serial Bus）端子にＵＳＢ用ケーブルを接続して充電する場合がある。
【０００６】
一般家庭において立体映像を視聴するとき、視聴者は複数である場合が多い。従って電子シャッタ眼鏡も複数必要となる。立体映像ではない放送番組では電子シャッタ眼鏡は不要であるため、電子シャッタ眼鏡があちらこちらに散乱する場合が想定される。このため複数の電子シャッタ眼鏡を置いておく場所、あるは保管しておく場所が必要となる。また、電子シャッタ眼鏡に二次電池を用いる場合には充電器も複数必要となることが想定される。
【０００７】
本発明の目的は、上記したような事情に鑑み成されたものであって、視聴者が立体映像用のシャッタ眼鏡の配置場所を容易に認識できる映像表示装置を提供することを目的とする。また、視聴者が容易にシャッタ眼鏡の充電池に充電することができる映像表示装置を提供することを目的とする。
【課題を解決するための手段】
【０００８】
上記目的を達成するために、実施形態によれば、映像表示装置は、筐体と、前記筐体内において１個以上のシャッタ眼鏡を収納する眼鏡収納部とを有する。また、実施形態によれば、前記眼鏡収納部は、前記シャッタ眼鏡の充電手段を有する。
【図面の簡単な説明】
【０００９】
【図１】第１の実施形態に係る映像表示装置の概観を示した図。
【図２】第１の実施形態に係る映像表示装置の断面を示した図。
【図３】シャッタ眼鏡の一例の概観を示した図。
【図４】第１の実施形態に係る映像表示装置の収納部蓋を開けた状態を示した図。
【図５】シャッタ眼鏡が眼鏡台に戴置された状態を示した図。
【図６】シャッタ眼鏡の充電端子を示した図。
【図７】眼鏡台の給電端子を示した図。
【図８】シャッタ眼鏡の充電端子と眼鏡台の給電端子が接触した状態を示した図。
【図９】第２の実施形態に係る映像表示装置の概観を示した図。
【図１０】第２の実施形態に係る映像表示装置の収納部蓋を開けた状態を示した図。
【図１１】第３の実施形態に係る映像表示装置の概観を示した図。
【図１２】第３の実施形態に係る映像表示装置のスタンドを示した図。
【図１３】第３の実施形態に係る映像表示装置の収納部蓋を開けた状態を示した図。
【図１４】第４の実施形態に係る映像表示装置の概観を示した図。
【図１５】第４の実施形態に係る映像表示装置の断面を示した図。
【図１６】第４の実施形態に係る映像表示装置の収納部蓋を開けた状態を示した図。
【図１７】第５の実施形態に係るシャッタ眼鏡の例を示した図。
【図１８】シャッタ眼鏡の充電端子と眼鏡台の給電端子が接触した状態を示した図。
【発明を実施するための形態】
【００１０】
以下実施形態について図面を参照しながら説明する。
【００１１】
（第１の実施形態）
図１は、第１の実施形態に係る映像表示装置１の概観を示した図である。図２は、第１の実施形態に係る映像表示装置１の断面を示した図である。図２は、図１における断面ＡＡを示した図である。
【００１２】
映像表示装置１は、本体２と、本体２を支持するスタンド３を備えている。本体２は、筐体４、表示パネル５、フレーム６等によって構成されている。本体２の前面側に液晶パネルやＰＤＰ（Plasma Display Panel）等の表示パネル５が配置され、表示パネル５の背面側に表示パネル５を支持するフレーム６が配置されている。フレーム６には表示パネル５を駆動するための図示しない回路基板や電源回路が設置されている。
【００１３】
本体２は、その略中央下部において、スタンド３と接合し、スタンド３によって支持されている。スタンド３は、台座９から略垂直に立ち上がっている支持部１０を備えており、支持部１０とフレーム６がネジ等により接合されている。
【００１４】
筐体４は、表示パネル５やフレーム６の前面側と上面、底面、両側側面の一部を覆う前面カバー７と、表示パネル５やフレーム６の背面と上面、底面、両側側面の一部を覆う背面カバー８とによって構成されている。
【００１５】
筐体４の上部には、シャッタ眼鏡１３を収納する眼鏡収納部１１が備えられている。眼鏡収納部１１には、収納部蓋１２が設けられ、視聴者がシャッタ眼鏡１３を使用する際、収納部蓋１２を開けて、眼鏡収納部１１からシャッタ眼鏡１３を取り出す。眼鏡収納部１１には、1個または複数のシャッタ眼鏡１３を収納できる。
【００１６】
図３は、シャッタ眼鏡１３の一例の概観を示した図である。シャッタ眼鏡１３は、リム１６ａ、１６ｂ、ブリッジ１７、よろい１８ａ、１８ｂ、テンプル１９ａ、１９ｂ、液晶シャッタ２０ａ、２０ｂによって構成されている。テンプル１９ａ、１９ｂは、よろい１８ａ、１８ｂに蝶番２１ａ、２１ｂによって回動可能に取り付けられている。
【００１７】
ブリッジ１７の内部には、映像表示装置１から送出された制御信号を受信する受信部２２、および液晶シャッタ２０ａ、２０ｂの動作を制御する制御部２３が格納されている。左側のよろい１８ｂには、電源スイッチ２４が設けられている。左側のテンプル１９ｂにおけるよろい１８ｂに近い部分には、液晶シャッタの動作用の電力を供給する二次電池２５が設置されている。
【００１８】
図４は、映像表示装置１の収納部蓋１２を開けた状態を示した図である。眼鏡収納部１１には、テンプル１９ａ、１９ｂを折り畳んだ状態のシャッタ眼鏡１３が複数収納できるようになっている。図４においては、３個のシャッタ眼鏡１３が示されているが、更に複数個増加できることは言うまでもない。
【００１９】
視聴者は、立体映像を視聴するときに眼鏡収納部１１からシャッタ眼鏡１３を取り出して視聴し、視聴が終了したならば眼鏡収納部１１へ収納すればよい。このようにすることによって、シャッタ眼鏡１３が決まった位置に収納されるため、複数の視聴者が、シャッタ眼鏡１３の配置場所を容易に認識でき、利用することができる。
【００２０】
図５は、シャッタ眼鏡１３が眼鏡台２５に戴置された状態を示した図である。シャッタ眼鏡１３のテンプル１９ａ、１９ｂが折り畳まれた状態で戴置された状態を示している。眼鏡収納部１１の中の底部には眼鏡台２５が設置されている。眼鏡台２５は、１個、または、眼鏡収納部１１が収納できるシャッタ眼鏡１３の数と同数かそれ以下の数が設置されている。眼鏡台２５の上部形状は、シャッタ眼鏡１３のブリッジ１７の下部のリム１６の形状に沿った相似形状であり、シャッタ眼鏡１３を戴置したときにシャッタ眼鏡１３が安定するように配慮されている。図５においては、例として、略台形の形状を示している。
【００２１】
図６は、シャッタ眼鏡１３の充電端子２６を示した図である。図６（ａ）は、シャッタ眼鏡１３を液晶シャッタ２０ａ、２０ｂ側から見た図である。ブリッジ１７の底部に充電用の充電端子２６ａ、２６ｂが設けられている。充電端子２６ａ、２６ｂの部分を一部断面図で示している。
【００２２】
図６（ｂ）は、シャッタ眼鏡１３を図６（ａ）におけるＢ方向から見た図である。充電端子２６ａ、２６ｂはブリッジ１７の底部に並んで配置されている。鼻当て２７ａ、２７ｂが、リム１６ａ、１６ｂにおけるブリッジ１７の近い部分に設けられている。
【００２３】
リム１６ｂにおけるブリッジ１７の近い部分には、金属片２８が埋設されている。金属片２８は、磁石に吸着される金属である。金属片２８の一面がリム１６ｂの壁面と略同一面となるように埋設されている。シャッタ眼鏡１３が眼鏡台２５に戴置されたとき、金属片２８が、眼鏡台２５に埋設されたマグネットに吸着されるように配置されている。
【００２４】
図７は、眼鏡台２５の給電端子２９を示した図である。図７（ａ）は、眼鏡台２５の概観図である。図７（ｂ）は、眼鏡台２５を図７（ａ）におけるＣ方向から見た図である。眼鏡台２５の上部には、給電端子２９ａ、２９ｂが設けられている。また、眼鏡台２５の側壁には、マグネット３０が埋設されている。マグネット３０はフェライトマグネット等であり、給電端子２９ａまたは２９ｂの近辺に配置されている。マグネット３０の一面が眼鏡台２５の側壁面と略同一面となるように埋設されている。
【００２５】
図８は、シャッタ眼鏡１３が眼鏡台２５に戴置されて、シャッタ眼鏡１３の充電端子２６と眼鏡台２５の給電端子２９が接触した状態を示した図である。シャッタ眼鏡１３を眼鏡台２５の給電端子２９の位置に合わせて戴置すると、シャッタ眼鏡１３の充電端子２６ａ、２６ｂと眼鏡台２５の給電端子２９ａ、２９ｂがそれぞれ接触し、シャッタ眼鏡１３の二次電池２５に充電される。
【００２６】
眼鏡台２５のマグネット３０が、シャッタ眼鏡１３の金属片２８を吸引することによって、戴置状態が安定するため、充電端子２６と給電端子２９の接続状態を良好に維持することができる。マグネット３０が金属片２８を吸引する力は０．５〜２Ｎ程度である。
【００２７】
視聴者は、立体映像の視聴を終了したならばシャッタ眼鏡１３を眼鏡収納部１１へ収納する。眼鏡収納部１１には、眼鏡台２５が設けられ、眼鏡台２５には給電端子２９が設けられており、視聴者がシャッタ眼鏡１３を給電端子２９が設けられた所定の位置に戴置すると、シャッタ眼鏡１３の二次電池２５に充電される。このようにすることによって、複数の視聴者が、容易にシャッタ眼鏡１３に充電することができ、また充電されたシャッタ眼鏡１３を随時利用することができる。
【００２８】
（第２の実施形態）
図９は、第２の実施形態に係る映像表示装置の概観を示した図である。この第２の実施形態の各部について、図１から図８に示した第１の実施形態の各部と同一部分は同一符号である。この第２の実施形態が第１の実施形態と異なる点は、第１の実施形態においては、眼鏡収納部１１が筐体４の上部に備えられていたが、第２の実施形態においては、眼鏡収納部３５が、筐体３３の側面に備えられていることである。
【００２９】
映像表示装置３１は、本体３２と、本体３２を支持するスタンド３を備えている。本体３２は、筐体３３、表示パネル５、フレーム６等によって構成されている。本体３２の前面側に液晶パネルやＰＤＰ等の表示パネル５が配置され、表示パネル５の背面側に表示パネル５を支持するフレーム６が配置されている。フレーム６には表示パネル５を駆動するための図示しない回路基板や電源回路が設置されている。
【００３０】
筐体３３は、表示パネル５やフレーム６の前面側と上面、底面、両側側面の一部を覆う前面カバー７と、表示パネル５やフレーム６の背面と上面、底面、両側側面の一部を覆う背面カバー３４とによって構成されている。
【００３１】
筐体３３の側面には、シャッタ眼鏡１３を収納する眼鏡収納部３５が備えられている。眼鏡収納部３５には、収納部蓋３６が設けられ、視聴者がシャッタ眼鏡１３を使用する際、収納部蓋３６を開けて、眼鏡収納部３５からシャッタ眼鏡１３を取り出す。眼鏡収納部３５には、１ｔ個または複数のシャッタ眼鏡１３を収納できる。
【００３２】
図１０は、映像表示装置３１の収納部蓋３６を開けた状態を示した図である。眼鏡収納部３５には、テンプル１９ａ、１９ｂを折り畳んだ状態のシャッタ眼鏡１３が複数収納できるようになっている。図１０においては、例として３個のシャッタ眼鏡１３が示されている。
【００３３】
視聴者は、立体映像を視聴するとき眼鏡収納部３５からシャッタ眼鏡１３を取り出して視聴し、視聴が終了したならば眼鏡収納部３５へ収納すればよい。このようにすることによって、シャッタ眼鏡１３が決まった位置に収納されるため、複数の視聴者が、シャッタ眼鏡１３の配置場所を容易に認識でき、利用することができる。
【００３４】
視聴者は、立体映像の視聴を終了したならばシャッタ眼鏡１３を眼鏡収納部３５へ収納する。眼鏡収納部３５には、眼鏡台２５が設けられ、眼鏡台２５には給電端子２９が設けられており、視聴者は、シャッタ眼鏡１３を給電端子２９が設けられた所定の位置に戴置すると、シャッタ眼鏡１３の二次電池２５に充電される。このようにすることによって、複数の視聴者が、容易にシャッタ眼鏡１３に充電することができ、また充電されたシャッタ眼鏡１３を随時利用することができる。
【００３５】
（第３の実施形態）
図１１は、第３の実施形態に係る映像表示装置３７の概観を示した図である。この第３の実施形態の各部について、図１から図８に示した第１の実施形態の各部と同一部分は同一符号である。この第３の実施形態が第１の実施形態と異なる点は、第１の実施形態においては、眼鏡収納部１１が筐体４の上部に備えられていたが、第３の実施形態においては、眼鏡収納部４４が、スタンド３９に備えられていることである。
【００３６】
映像表示装置３７は、本体３８と、本体３８を支持するスタンド３９を備えている。本体３８は、筐体４０、表示パネル５、フレーム６等によって構成されている。本体３８の前面側に液晶パネルやＰＤＰ等の表示パネル５が配置され、表示パネル５の背面側に表示パネル５を支持するフレーム６が配置されている。フレーム６には表示パネル５を駆動するための図示しない回路基板や電源回路が設置されている。
【００３７】
筐体４０は、表示パネル５やフレーム６の前面側と上面、底面、両側側面の一部を覆う前面カバー４１と、表示パネル５やフレーム６の背面と上面、底面、両側側面の一部を覆う背面カバー４２とによって構成されている。
【００３８】
図１２は、第３の実施形態に係る映像表示装置３７のスタンド３９を示した図である。本体３８は、その略中央下部において、スタンド３９と接合し、スタンド３９によって支持されている。スタンド３９は、台座４３から略垂直に立ち上がっている支持部４４を備えており、支持部４４とフレーム６がネジ等により接合されている。
【００３９】
スタンド３９には、シャッタ眼鏡１３を収納する眼鏡収納部４５が備えられている。眼鏡収納部４５には、上部に収納部蓋４６が設けられ、視聴者がシャッタ眼鏡１３を使用する際、収納部蓋４６を開けて、眼鏡収納部４５からシャッタ眼鏡１３を取り出す。眼鏡収納部４５には、1個または複数のシャッタ眼鏡１３を収納できる。
【００４０】
図１３は、第３の実施形態に係る映像表示装置３７の収納部蓋４６を開けた状態を示した図である。眼鏡収納部４５には、テンプル１９ａ、１９ｂを折り畳んだ状態のシャッタ眼鏡１３が複数収納できるようになっている。図１３においては、４個のシャッタ眼鏡１３が示されているが、更に複数個増加できる。
【００４１】
視聴者は、立体映像を視聴するとき眼鏡収納部４５からシャッタ眼鏡１３を取り出して視聴し、視聴が終了したならば眼鏡収納部４５へ収納すればよい。このようにすることによって、シャッタ眼鏡１３が決まった位置に収納されるため、複数の視聴者が、シャッタ眼鏡１３の配置場所を容易に認識でき、利用することができる。
【００４２】
眼鏡収納部４５の中の底部には眼鏡台２５が設置されている。眼鏡台２５は、１個、または、眼鏡収納部４５が収納できるシャッタ眼鏡１３の数と同数かそれ以下の数が設置されている。眼鏡台２５については、第１の実施形態と同様であるので説明を省略する。
【００４３】
視聴者は、立体映像の視聴を終了したならばシャッタ眼鏡１３を眼鏡収納部４５へ収納する。眼鏡収納部４５には、眼鏡台２５が設けられ、眼鏡台２５には給電端子２９が設けられており、視聴者は、シャッタ眼鏡１３を給電端子２９が設けられた所定の位置に戴置すると、シャッタ眼鏡１３の二次電池２５に充電される。このようにすることによって、複数の視聴者が、容易にシャッタ眼鏡１３に充電することができ、また充電されたシャッタ眼鏡１３を随時利用することができる。
【００４４】
（第４の実施形態）
図１４は、第４の実施形態に係る映像表示装置４７の概観を示した図である。この第４の実施形態の各部について、図１から図８に示した第１の実施形態の各部と同一部分は同一符号である。この第４の実施形態が第１の実施形態と異なる点は、第１の実施形態においては、眼鏡収納部１１が筐体４の上部に備えられていたが、第４の実施形態においては、眼鏡収納部５５が、スタンド４９の支柱部５４に備えられていることである。
【００４５】
図１５は、第４の実施形態に係る映像表示装置４７の断面を示した図である。図１５は、図１４における断面ＤＤを示した図である。映像表示装置４７は、本体４８と、本体４８を支持するスタンド４９を備えている。本体４８は、筐体５０、表示パネル５、フレーム６等によって構成されている。本体４８の前面側に液晶パネルやＰＤＰ等の表示パネル５が配置され、表示パネル５の背面側に表示パネル５を支持するフレーム６が配置されている。フレーム６には表示パネル５を駆動するための図示しない回路基板や電源回路が設置されている。
【００４６】
本体４８は、その略中央下部において、スタンド４９と接合し、スタンド４９によって支持されている。スタンド４９は、台座５３から略垂直に立ち上がっている支持部５４を備えており、支持部５４とフレーム６がネジ等により接合されている。
【００４７】
筐体５０は、表示パネル５やフレーム６の前面側と上面、底面、両側側面の一部を覆う前面カバー５１と、表示パネル５やフレーム６の背面と上面、底面、両側側面の一部を覆う背面カバー５２とによって構成されている。
【００４８】
スタンド４９の支持部５４には、シャッタ眼鏡１３を収納する眼鏡収納部５５が備えられている。眼鏡収納部５５には、収納部蓋５６が設けられ、視聴者がシャッタ眼鏡１３を使用する際、収納部蓋５６を開けて、眼鏡収納部５５からシャッタ眼鏡１３を取り出す。眼鏡収納部５５には、1個または複数のシャッタ眼鏡１３を収納できる。
【００４９】
図１６は、第４の実施形態に係る映像表示装置４７の収納部蓋５６を開けた状態を示した図である。眼鏡収納部５５には、テンプル１９ａ、１９ｂを折り畳んだ状態のシャッタ眼鏡１３が複数収納できるようになっている。図１６においては、例として２個のシャッタ眼鏡１３が示されている。
【００５０】
視聴者は、立体映像を視聴するとき眼鏡収納部５５からシャッタ眼鏡１３を取り出して視聴し、視聴が終了したならば眼鏡収納部５５へ収納すればよい。このようにすることによって、シャッタ眼鏡１３が決まった位置に収納されるため、複数の視聴者が、シャッタ眼鏡１３の配置場所を容易に認識でき、利用することができる。
【００５１】
眼鏡収納部５５の中の底部には眼鏡台２５が設置されている。眼鏡台２５は、１個、または、眼鏡収納部５５が収納できるシャッタ眼鏡１３の数と同数かそれ以下の数が設置されている。眼鏡台２５については、第１の実施形態と同様であるので説明を省略する。
【００５２】
視聴者は、立体映像の視聴を終了したならばシャッタ眼鏡１３を眼鏡収納部５５へ収納する。眼鏡収納部５５には、眼鏡台２５が設けられ、眼鏡台２５には給電端子２９が設けられており、視聴者がシャッタ眼鏡１３を給電端子２９が設けられた所定の位置に戴置すると、シャッタ眼鏡１３の二次電池２５に充電される。このようにすることによって、複数の視聴者が、容易にシャッタ眼鏡１３に充電することができ、また充電されたシャッタ眼鏡１３を随時利用することができる。
【００５３】
（第５の実施形態）
図１７は、第５の実施形態に係るシャッタ眼鏡の例を示した図である。シャッタ眼鏡の充電端子が他の位置にある例を示した図である。この第５の実施形態の各部について、図３及び図６に示す第１の実施形態におけるシャッタ眼鏡１３の各部と同一部分は同一符号である。この第５の実施形態におけるシャッタ眼鏡５７が第１の実施形態におけるシャッタ眼鏡１３と異なる点は、シャッタ眼鏡１３において充電端子２６ａ、２６ｂはブリッジ１７の底部に設けられていたが、シャッタ眼鏡４７において充電端子５８ａ、５８ｂはリム１６ａ、１６ｂの底部に設けられていることである。
【００５４】
図１７（ａ）は、シャッタ眼鏡５７を液晶シャッタ２０ａ、２０ｂ側から見た図である。リム１６ａ、１６ｂの底部に充電用の充電端子５８ａ、５８ｂが設けられている。充電端子５８ａ、５８ｂの部分を一部断面図で示している。
【００５５】
図１７（ｂ）は、シャッタ眼鏡５７を図１７（ａ）におけるＥ方向から見た図である。充電端子５８ａ、５８ｂはリム１６ａ、１６ｂの底部にそれぞれ配置されている。リム１６ｂには、金属片５９が埋設されている。金属片５９は、磁石に吸着される金属である。金属片５９の一面がリム１６ｂの壁面と略同一面となるように埋設されている。シャッタ眼鏡５７が眼鏡台６０に戴置されたとき、金属片５９が、眼鏡台６０に埋設されたマグネットに吸着されるように配置されている。
【００５６】
図１８は、シャッタ眼鏡５７が眼鏡台６０に戴置されて、シャッタ眼鏡５７の充電端子５８ａ、５８ｂと眼鏡台５０の給電端子６１ａ、６１ｂが接触した状態を示した図である。シャッタ眼鏡５７を眼鏡台６０の給電端子６１ａ、６１ｂに合わせて戴置すると、シャッタ眼鏡５７の充電端子５８ａ、５８ｂと眼鏡台６０の給電端子６１ａ、６１ｂがそれぞれ接触し、シャッタ眼鏡５７の二次電池２５に充電される。
【００５７】
眼鏡台６０の表面には、マグネット６２が埋設されている。マグネット６２はフェライトマグネット等であり、給電端子６１ａまたは６１ｂの近辺に配置されている。マグネット６２の一面が眼鏡台６０の表面と略同一面となるように埋設されている。眼鏡台６０のマグネット６２が、シャッタ眼鏡５７の金属片５９を吸引することによって、戴置状態が安定するため、充電端子５８と給電端子６１の接続状態を良好に維持することができる。
【００５８】
シャッタ眼鏡の充電端子は、ブリッジ１７の上部、ブリッジ１７の前面、リム１６の上部、よろい１８の側面または上面、テンプル１９の側面または上面等に配置することも可能である。対応する充電台の給電端子の配置の都合に合わせて適宜選択すればよい。
【００５９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６０】
１  映像表示装置
２  本体
３  スタンド
４  筐体
５  表示パネル
６  フレーム
７  前面カバー
８  背面カバー８
９  台座
１０  支持部
１１  眼鏡収納部
１２  収納部蓋
１３  シャッタ眼鏡
１６ａ、１６ｂ  リム
１７  ブリッジ
１８ａ、１８ｂ  よろい
１９ａ、１９ｂ  テンプル
２０ａ、２０ｂ  液晶シャッタ
２１ａ、２１ｂ  蝶番
２２  受信部
２３  制御部
２４  電源スイッチ
２５  眼鏡台
２６ａ、２６ｂ  充電端子
２７ａ、２７ｂ  鼻当て
２８  金属片
２９ａ、２９ｂ  給電端子
３０  マグネット
【要約】
【課題】視聴者が立体映像用のシャッタ眼鏡の配置場所を容易に認識できる映像表示装置を提供することを目的とする。また、視聴者が容易にシャッタ眼鏡の充電池に充電することができる映像表示装置を提供することを目的とする。
【解決手段】映像表示装置は、筐体と、前記筐体内において１個以上のシャッタ眼鏡を収納する眼鏡収納部とを有する。または、映像表示装置は、筐体と、前記筐体を支持するスタンドと、前記スタンド内において１個以上のシャッタ眼鏡を収納する眼鏡収納部とを有する。前記眼鏡収納部は、前記シャッタ眼鏡の充電手段を有する。
【選択図】図４【図１】
0004834779.tif 000002
【図２】
0004834779.tif 000003
【図３】
0004834779.tif 000004
【図４】
0004834779.tif 000005
【図５】
0004834779.tif 000006
【図６】
0004834779.tif 000007
【図７】
0004834779.tif 000008
【図８】
0004834779.tif 000009
【図９】
0004834779.tif 000010
【図１０】
0004834779.tif 000011
【図１１】
0004834779.tif 000012
【図１２】
0004834779.tif 000013
【図１３】
0004834779.tif 000014
【図１４】
0004834779.tif 000015
【図１５】
0004834779.tif 000016
【図１６】
0004834779.tif 000017
【図１７】
0004834779.tif 000018
【図１８】
0004834779.tif 000019